(57)【要約】【課題】  エンクロージャーの内部を防水することができ、しかも防水シートにより音響ポートによる目的とする特定周波数での共振の機能を妨げることを防止できるスピーカー装置を提供する。【解決手段】  スピーカーユニット１１の背面波を利用して音響ポート１４の出口１４ａから特定周波数でスピーカーユニット１１の正面波と同位相の音をエンクロージャー９の外部に放射するバスレフレックス形のスピーカー装置１である。一端にエンクロージャー９の外部に向けて開口する放音口１８を有すると共に該放音口１８に防水シート２１を設けた止水室部１６を前記音響ポート１４の出口１４ａに連通させてエンクロージャー９に設ける。【選択図】        図１
2006237900.tif 000002
【特許請求の範囲】
【請求項１】
エンクロージャーと、該エンクロージャーに設けたスピーカーユニット及び音響ポートを備え、スピーカーユニットの背面波を利用して音響ポートの出口から特定周波数でスピーカユニットの正面波と同位相の音をエンクロージャーの外部に放射するバスレフレックス型のスピーカー装置において、一端にエンクロージャーの外部に向けて開口する放音口を有すると共に該放音口に防水シートを設けた止水室部を前記音響ポートの出口に連通させてエンクロージャーに設けて成ることを特徴とするスピーカー装置。
【請求項２】
上記止水室部の容積を音響ポートの容積よりも大きくしたことを特徴とする請求項１に記載のスピーカー装置。
【発明の詳細な説明】
【技術分野】
【０００１】
本発明は防水性を有するバスレフレックス型のスピーカー装置に関する。
【背景技術】
【０００２】
従来から例えば特許文献１のようなバスレフレックス型（以下バスレフ型という）のスピーカー装置が知られている。図６に示す一般的なバスレフ型のスピーカー装置１は、内部に音響空間１０を形成したエンクロージャー９と、エンクロージャー９の前壁部９ｃに設けたスピーカーユニット１１と、同前壁部９ｃからエンクロージャー９内部に向けて突設した音響ポート１４を備え、音響ポート１４の断面積および容積の調整により得られたヘルムホルツ共鳴の原理に基づく共振により、スピーカーユニット１１の背面波を利用して、前記音響ポート１４により設定された特定周波数領域（低音域）の音をスピーカユニット１１の正面波と同位相で音響ポート１４の出口１４ａから放射するものである。このバスレフ型のスピーカー装置１は、スピーカーユニット１１単体ではスピーカーユニット１１の正面波と逆位相となってこの正面波を打ち消してしまうスピーカーユニット１１の背面波を位相を反転して正面波と同位相の特定周波数領域の音として放射し、この音を正面波に加算することができて放射効率を向上できるものである。従ってこのようなバスレフ型のスピーカー装置１は、上記音響ポート１４を設けず音響空間１０を密閉空間としたエンクロージャー９の外壁にスピーカーユニット１１を設けた密閉形のスピーカー装置とエンクロージャー９の容積を同一として比較した場合に図７の音圧周波数特性に示すように低音域まで再生レベルを保つことができ、従ってこのようなバスレフ型のスピーカー装置１は従来から広く利用されている。
【０００３】
ところで上記バスレフ型のスピーカー装置１にあっては音響ポート１４の出口１４ａがエンクロージャー９の前壁部９ｃからエンクロージャー９の外部に向けて開口しているため、例えばスピーカー装置１を水のかかる虞れのある浴室の壁等に設けた場合、エンクロージャー９の外部に向けて開口する音響ポート１４の出口１４ａからエンクロージャー９の内部に水が侵入するという問題があり、このため上記バスレフ型のスピーカー装置１を浴室の壁等に設ける場合には例えば図８及び図９に示すように音響ポート１４の出口１４ａに防水シート２１を設けていた。しかしこのように音響ポート１４の出口１４ａに直接防水シート２１を設けた場合、該防水シート２１が影響し、音響ポート１４による目的とする特定周波数での共振の機能を妨げ、これにより音響ポート１４の出口１４ａから放射される音質を劣化させてしまう。またこの音響ポート１４の出口１４ａに直接設けた防水シート２１は音響ポート１４の出口１４ａから放射される音にも影響を与え易くこの点でも音質の劣化が生じる。
【特許文献１】特開２００４−３２０４０号公報
【発明の開示】
【発明が解決しようとする課題】
【０００４】
本発明は上記従来の問題点に鑑みて発明したものであって、エンクロージャーの内部を防水することができ、しかも防水シートにより音響ポートによる目的とする特定周波数での共振の機能を妨げることを防止でき、浴室のような水のかかる虞れのある場所で用いることができて尚且つ高音質の音を発生できるスピーカー装置を提供することを課題とする。
【課題を解決するための手段】
【０００５】
上記課題を解決するために本発明に係るスピーカー装置は、エンクロージャー９と、該エンクロージャー９に設けたスピーカーユニット１１及び音響ポート１４を備え、スピーカーユニット１１の背面波を利用して音響ポート１４の出口１４ａから特定周波数でスピーカーユニット１１の正面波と同位相の音をエンクロージャー９の外部に放射するバスレフレックス形のスピーカー装置１において、一端にエンクロージャー９の外部に向けて開口する放音口１８を有すると共に該放音口１８に防水シート２１を設けた止水室部１６を前記音響ポート１４の出口１４ａに連通させてエンクロージャー９に設けて成ることを特徴とする。上記防水シート２１によりエンクロージャー９の内部に水が侵入することを防止でき、しかもこの防水シート２１は音響ポート１４の出口１４ａから止水室部１６を介した放音口１８に設けているので、音響ポート１４の出口１４ａに防水シート２１を直接設けたもののように音響ポート１４による目的とする特定周波数での共振の機能を防水シート２１により妨げることを防止でき、これにより放音口１８から音質の良い音を放射できる。
【０００６】
また請求項２は請求項１において、上記止水室部１６の容積を音響ポート１４の容積よりも大きくしたものである。
【発明の効果】
【０００７】
本発明では、防水シートによりエンクロージャーの内部に水が侵入することを防止でき、しかもこの防水シートにより音響ポートによる目的とする特定周波数での共振の機能を妨げることを防止でき、放音口から音質の良い音を放射でき、これにより浴室のような水のかかる虞れのある場所で用いることができて尚且つ高音質の音を発生できるスピーカー装置を提供できる。
【発明を実施するための最良の形態】
【０００８】
以下、本発明を添付図面に示す実施形態に基いて説明する。図１は本実施形態のバスレフ型のスピーカー装置１を浴室の壁２（以下浴室壁２という）に取付けた状態を示す水平断面図であり、以下のスピーカー装置１の説明では図１のスピーカー装置１を浴室壁２に取付けた状態においてスピーカー装置１の室内側を前側イ、室外側を後側ロと定義して説明する。なお図１では後述のカバー２２の図示を省略している。
【０００９】
スピーカー装置１はユニットバスを構成する壁パネルからなる浴室壁２に取付けられるもので、後部が浴室壁２に取付けられる装置本体３で主体を構成している。装置本体３は基体４と該基体４の前面にねじで取付けられる中板５とで構成してあり、正面視で横長の長方形形状に形成されている。
【００１０】
装置本体３の左右方向ハ（長手方向）の中央部には制御基板収納部６を形成してあり、該制御基板収納部６は、基体４の中央部に形成した前方に開口する収納凹部７と、収納凹部７の前面開口を覆う中板５の中央部で構成されている。つまり制御基板収納部６の前面部を中板５の中央部で構成すると共に後面部を収納凹部７の底面部で構成している。
【００１１】
制御基板収納部６の内部には制御基板収納部６の前面部の内面に沿って制御基板８を配設してあり、該制御基板８は制御基板収納部６の後面部から前方に向けて突設したリブ２４により支持されている。制御基板収納部６の後面部の中央部には筒部１５を後方に向けて突設してあり、筒部１５の内側には制御基板収納部６の内部と制御基板収納部６の後方とを連通させる配線孔２０を形成している。
【００１２】
装置本体３における基体４の収納凹部７を挟んだ左右両側の夫々には内部に音響空間１０を形成したエンクロージャー９を形成している。各エンクロージャー９は前半部を大略角筒状に形成し、後半部を大略円筒状に形成したものであり、バッフルとなる前壁部９ｃにスピーカーユニット１１を設けている。また装置本体３の中央部側に位置する側壁部９ａの前後方向の中間部は制御基板収納部６の後面部の側端に一体に接続している。ここで中板５のスピーカーユニット１１の前方に位置する部分は開口している。
【００１３】
各エンクロージャー９の前半部の左右の側壁部のうち外側に位置する側壁部９ｂ（つまり制御基板収納部６と反対側の側壁部であり、以下単に外側壁部９ｂという）の外側部は各エンクロージャー９の後半部よりも外側方に突出して突出部１２を形成してあり、この厚肉となったエンクロージャー９の外側壁部９ｂには音響ポート１４として左右方向に貫通する断面円形の孔部を貫設している。音響ポート１４の断面形状及び断面積は音響ポート１４の長さ方向の全てにおいて同じとしてあり、この音響ポート１４の断面積及び容積はエンクロージャー９の音響空間１０の容積や後述の止水室部１６の断面積及び容積を考慮して各エンクロージャー９で目標とする共振周波数で共振できるように設計されている。また各エンクロージャー９の後半部は図３に示すように前半部の後面部の上下方向の中央部を後方に向けて突出して形成している。またこの各エンクロージャー９の後半部と前述の筒部１５とで基体４の他の部分よりも後方に突出する壁埋込部１７を形成してあり、各エンクロージャー９の後半部の外方に図１の２８に示す段部を形成している。
【００１４】
そして上記各エンクロージャー９の外壁部（詳しくは外側壁部９ｂ）には、一端にエンクロージャー９の外部（つまり浴室内側）に向けて開口し連通する放音口１８を形成すると共に該放音口１８に防水シート２１を設けた止水室部１６を前記エンクロージャー９の外側壁部９ｂの外面から開口する音響ポート１４の出口１４ａに連通させて設けている。
【００１５】
詳述すると上記各エンクロージャー９の外側壁部９ｂには突出部１２を更に外側方に突出した連出部１９を形成している。連出部１９の前面はエンクロージャー９の前壁部９ｃの前面と略面一となっており、また連出部１９の後面は突出部１２の後面と面一となっている。この連出部１９の前面には止水室部１６として前方に開口する凹部を形成してあり、該止水室部１６のエンクロージャー９側（装置本体３の中央部側）の内側面の一部（後部）に音響ポート１４の出口１４ａを開口させている。止水室部１６は図４に示すように正面視で縦長長方形形状の断面形状を有している。止水室部１６の正面から見た断面積及び断面形状は前後方向の全てにおいて同じとしてあり、止水室部１６の容積は音響ポート１４の容積よりも大きい容積となっている。また前後方向においてスピーカーユニット１１と略同じ位置に形成された止水室部１６の前面開口で放音口１８を構成している。この放音口１８には通気性を有し且つ防水性を有する防水シート２１を設けてあり、この防水シート２１により浴室内の水が放音口１８から止水室部１６や、音響ポート１４、エンクロージャー９の内部に入ることを防止している。なお本例の止水室部１６は音響ポート１４から放射された特定周波数領域の音を共鳴させて放音口１８から放射できる共鳴室となっている。
【００１６】
また図４に示すように上記装置本体３の前面には後方に開口するカバー２２を取付けてあり、該カバー２２の内側に装置本体３の前部を嵌め込んで固定している。カバー２２の中央部には操作釦２３を設けてあり、該操作釦２３を操作することで中板５を介して制御基板８の操作部２７を操作して、制御基板８に配線を介して接続される図示しない音源を操作できるようになっている。なおカバー２２の前面部のスピーカーユニット１１の前方に位置する部分は開口している。
【００１７】
上記スピーカー装置１を図１のように浴室壁２に取付けるには、配線孔２０から装置本体３の後方に引き出された制御基板８に接続された配線（図示せず）を浴室の壁裏に配設した音源に接続し、浴室壁２に穿設した嵌込孔２５に装置本体３から後方に突出した壁埋込部１７を嵌め込むと共に、浴室壁２の嵌込孔２５の周縁部を装置本体３の段部２８に嵌め込み、この状態でスピーカー装置１を浴室壁２に固定する。
【００１８】
このように浴室壁２に取付けられたスピーカー装置１にあっては、各エンクロージャー９の後半部である壁埋込部１７が浴室壁２に埋め込んであるので、各エンクロージャー９の容積を確保しつつ、スピーカー装置１の浴室内側への突出量を抑えることができる。またこのスピーカー装置１は段部２８の奥面（後方を向く面）に浴室壁２の嵌込孔２５の周縁部の前面を当てると共にエンクロージャー９の後半部の外面に浴室壁２の嵌込孔２５の内周縁面を当てた状態で浴室壁２に取付けてあるので、スピーカー装置１を浴室壁２に強固に取付けることができる。またこの段部２８の奥面の一部は音響ポート１４を形成した各エンクロージャー９の突出部１２の後面及び前記止水室部１６を形成した各エンクロージャー９の連出部１９の後面により構成しているので、スピーカー装置１の更なる小型化が図られている。
【００１９】
そして上記のように浴室壁２にスピーカー装置１を取付けることで浴室に音響システムを構成するもので、このスピーカー装置１の操作釦２３を操作して音源を操作することで、音源からの電気信号をスピーカーユニット１１の振動に変換してスピーカー装置１から音を発生できるようになっている。ここでスピーカーユニット１１を駆動した場合には、音響ポート１４の断面積および容積の調整により得られたヘルムホルツ共鳴の原理に基づく共振が生じ、これにより音響ポート１４により設定された特定周波数領域（低音域）の音が音響ポート１４の出口１４ａから止水室部１６、放音口１８を順に介してスピーカー装置１の前方である浴室内に放射されることとなり、この放音口１８からエンクロージャー９の外部に放射される音はスピーカーユニット１１の正面波と同位相であるため、スピーカー装置１により低音域の音圧を増大させた音を発生できるようになっている。また本実施形態では上記止水室部１６が共鳴室となっているため、音響ポート１４の出口１４ａから放射された音が止水室部１６で共鳴した後放音口１８から放射されるようになっているので、より一層低音域の響きを良くした音を発生できるようになっている。
【００２０】
ここで本実施形態にあっては各エンクロージャー９の壁部に一端（前端）に放音口１８を形成すると共に該放音口１８に防水シート２１を設けた止水室部１６を前記エンクロージャー９の外面から開口する音響ポート１４の出口１４ａに連通させて設けてあって、防水シート２１を音響ポート１４の出口１４ａから離れた止水室部１６の放音口１８に設けてあり、またこの止水室部１６は音響ポート１４の容積よりも大きい容積を有するものであるので、背景技術の欄に示した音響ポート１４の出口１４ａに防水シート２１を直接設けたもののように防水シート２１により音響ポート１４による目的とする特定周波数での共振の機能を妨げることを防止でき、これにより放音口１８から音質の良い音を放射できる。またこの防水シート２１は音響ポート１４の出口１４ａよりも開口面積の大きい放音口１８を覆うものであって面積が大きく、この点からも音質の劣化を防止している。
【００２１】
なお上記音響ポート１４、止水室部１６、エンクロージャー９の夫々の形状及び容積は設定目標となる周波数特性により適宜決定されるもので、本実施形態の形状や容積に限定されるものでなく、例えば形状にあっては角筒状や円筒状等適宜変更可能である。
【図面の簡単な説明】
【００２２】
【図１】本発明の実施の形態の一例を示し、カバーを取り外した状態にあるスピーカー装置を浴室壁に取付けた状態を示す水平断面図である。
【図２】同上の正面図である。
【図３】同上のスピーカー装置を後側から見た斜視図である。
【図４】同上のスピーカー装置を前側から見た斜視図である。
【図５】同上のカバー及び中板を取り外した状態にあるスピーカー装置を前側から見た斜視図である。
【図６】従来のバスレフ型のスピーカー装置を示す説明図である。
【図７】バスレフ型スピーカー装置の音圧周波数特性及び密閉型スピーカー装置の音圧周波数特性を示すグラフである。
【図８】従来の防水性を有するスピーカー装置の水平断面図である。
【図９】同上の正面図である。
【符号の説明】
【００２３】
１  スピーカー装置
９  エンクロージャー
１１  スピーカーユニット
１４  音響ポート
１４ａ  出口
１６  止水室部
１８  放音口
２１  防水シート
【図１】
2006237900.tif 000003
【図２】
2006237900.tif 000004
【図３】
2006237900.tif 000005
【図４】
2006237900.tif 000006
【図５】
2006237900.tif 000007
【図６】
2006237900.tif 000008
【図７】
2006237900.tif 000009
【図８】
2006237900.tif 000010
【図９】
2006237900.tif 000011